(57)【特許請求の範囲】
【請求項１】
装置正面に設けられ左右方向に開閉する開閉カバーと、一端で装置本体の左端又は右端に回動自在に取り付けられると共に他端で前記開閉カバーを回動自在に保持する中間回動体と、を具備し、閉時、前記開閉カバーは装置正面を形成すると共に前記中間回動体は装置側面を形成し、前記中間回動体は前記開閉カバーが開き切っていない場合に閉位置に戻るように付勢される一方、前記中間回動体は前記開閉カバーを開き切った場合に前記開閉カバーと一体となって回動するように付勢されていることを特徴とする複写機。
【請求項２】
前記開閉カバーは前記中間回動体に対して約９０°回動する一方、前記中間回動体は装置本体に対して約９０°回動することを特徴とする請求項１記載の複写機。
【請求項３】
前記開閉カバーは前記中間回動体に対してＬ字板金で回動自在に設けられたことを特徴とする請求項１または請求項２記載の複写機。
【請求項４】
前記開閉カバーにＬ字板金を取り付け、前記Ｌ字板金の短辺で前記中間回動体に回動自在に連結されていることを特徴とする請求項１または請求項２記載の複写機。
【請求項５】
前記開閉カバーを開けた際に装置本体内部の最も外側に位置するとともに装置本体の左端又は右端のうち中間回動体が回動自在に保持された側の端部に左右方向に回動自在に設けられたトナーボトルと、このトナーボトルより装置本体内部の後方に配置され装置外部に引き出し可能に設けられた記録部と、を具備し、前記開閉カバーを前記中間回動体と共に開くと、トナーボトルは９０°以上回動可能となることを特徴とする請求項１〜請求項４のいずれかに記載の複写機。
【請求項６】
装置正面に設けられ左右方向に開閉する開閉カバーと、一端で装置本体の左端又は右端に回動自在に取り付けられると共に他端で前記開閉カバーを回動自在に保持する中間回動体と、を具備し、閉時、前記開閉カバーは装置正面を形成すると共に前記中間回動体は装置側面を形成し、前記中間回動体は前記開閉カバーが開き切っていない場合に閉位置に戻るように付勢される一方、前記中間回動体は前記開閉カバーを開き切った場合に前記開閉カバーと一体となって回動するように付勢されていることを特徴とする複合機。
【請求項７】
前記開閉カバーは前記中間回動体に対して約９０°回動する一方、前記中間回動体は装置本体に対して約９０°回動することを特徴とする請求項６記載の複合機。
【請求項８】
前記開閉カバーは前記中間回動体に対してＬ字板金で回動自在に設けられたことを特徴とする請求項６または請求項７記載の複合機。
【請求項９】
前記開閉カバーにＬ字板金を取り付け、前記Ｌ字板金の短辺で前記中間回動体に回動自在に連結されていることを特徴とする請求項６または請求項７記載の複合機。
【請求項１０】
前記開閉カバーを開けた際に装置本体内部の最も外側に位置するとともに装置本体の左端又は右端のうち中間回動体が回動自在に保持された側の端部に左右方向に回動自在に設けられたトナーボトルと、このトナーボトルより装置本体内部の後方に配置され装置外部に引き出し可能に設けられた記録部と、を具備し、前記開閉カバーを前記中間回動体と共に開くと、トナーボトルは９０°以上回動可能となることを特徴とする請求項６〜請求項９のいずれかに記載の複合機。
【発明の詳細な説明】
【０００１】
【発明の属する技術分野】
本発明は、紙ジャム除去や記録部のメンテナンスを行うために装置内部を開放する開閉カバーを有する複写機又は複合機に関する。
【０００２】
【従来の技術】
従来、この種の複写機及び複合機（以下、「複写機等」という）は、図１５に示すように、装置正面に開閉カバー１５０１が設けられ、この開閉カバー１５０１を手前に開くと装置内部がユーザに開放される。この開閉カバー１５０１の開閉方向は、同図に示すように、回動軸を開閉カバー１５０１の下端に設け、これを支点として開閉カバー１５０１の上端を上下に開閉する方向である。
【０００３】
また、この開閉カバー１５０１を開けると、記録部を構成する現像装置にトナーを供給するトナーボトルが手前に現れる。このトナーボトルも回動自在に取り付けられ、装置の外側に引き出せるようになっている。このトナーボトルの回動方向は、回動軸が左端又は右端に設けられ、これを支点として先端部を手前に引く方向である。そして、このトナーボトルの奥に、記録部を構成する現像装置などの各装置が配置されている。
【０００４】
従って、記録部のメンテナンスをする際は、先ず、開閉カバー１５０１を開け、次にトナーボトルを回動させ、その上でその奥に配置された現像装置などの各装置を手前に引き出していた。
【０００５】
【発明が解決しようとする課題】
しかし、かかる従来の技術では、以下のような問題があった。
【０００６】
即ち、複写機等の機能の高度化により、従来は必要な場合に追加されていた自動両面機構などのオプション機構が標準機能として要求されるようになっている。このように標準機能として要求される機構数が増加すれば、その分装置は大型化する。しかし、標準機能を増加しても従来と同程度の大きさにすることも要請される。そのため、装置内部に配置される各機構の大きさ及び各機構間の隙間は、可能な限り無駄なスペースを省き、圧縮する必要が生じる。
【０００７】
このような事情から、従来であれば記録部と給紙カセット段との境に開閉カバー１５０１の開閉ヒンジを設けていたが、その分のスペースも圧縮する必要が生じた。仮に、従来と同様に記録部と給紙カセット段との境にスペースを設けて開閉ヒンジを設けると、そのスペースが装置の大型化につながるという問題が生じる。そのため、開閉ヒンジを装置内部の各機構が重なる間に取り付けることはできず、図１６に示すように、開閉ヒンジを装置の左端又は右端に取り付けて、開閉カバー１５０１を左右方向に回動させることが必要となる。
【０００８】
しかし、このように開閉カバー１５０１を左右に開く構成を採用する際には、単に開閉カバー１５０１を左右に開く構成としただけでは以下のような問題が別途生ずる。
【０００９】
即ち、開閉カバー１５０１を左右に開く構成とした場合には、開閉カバー１５０１の開閉角度が規制されるという問題が生ずる。このような問題は、例えば、図１７に示すように、開閉ヒンジ１７０１を装置内に設けた場合に生ずる。
【００１０】
この場合、開閉カバー１５０１を開いても、図１７に示すように、いずれは開閉カバー１５０１の表面が装置のフレームに当接し、それ以上進まなくなる。しかも、記録部をメンテナンスする場合には、開閉カバー１５０１を開けて、さらにトナーボトル１７０２を回動させる必要がある。
【００１１】
開閉カバー１５０１の開閉角度が規制されると、トナーボトル１７０２の回動角度もそれ以下に規制されることになる。その結果、トナーボトル１７０２の後方に配置されている現像装置１７０３などの各機構を引き出すにはトナーボトル１７０２が十分に回動せず、記録部のメンテナンスができないという問題が生ずる。
【００１２】
一方、トナーボトル１７０２が十分に回動しない状態でも、現像装置１７０３などの各機構を引き出せるようにするには、図１８に示すように、トナーボトル１７０２の回動軸から十分に距離を離して現像装置１７０３などの各機構を配置することが考えられる。しかし、記録部を構成する現像装置１７０３などの各機構は相互に、画質との関係で所定の間隔を維持して配置されるものである。このため、各機構をトナーボトル１７０２の回動軸から離すと、その分装置が横方向に大型化するという問題が生ずる。
【００１３】
これに対し、開閉カバー１５０１を大きく開けても開閉カバー１５０１の表面が装置のフレームに当接しないように、図１９に示すように、開閉カバー１５０１の回動ヒンジ１８０１を装置本体の外側に設けることが考えられる。しかし、この場合、開閉ヒンジ１８０１が装置外部に突き出るために、その分装置が大型化するという問題が生ずる。
【００１４】
本発明は、かかる問題点に鑑みてなされたものであり、開閉カバーを左右方向に開く構成であっても、装置を大型化することなく、開閉角度を十分に確保でき、メンテナンスを容易に行うことができる複写機又は複合機を提供することを目的とする。
【００１５】
【課題を解決するための手段】
本発明は、装置正面に設けられ左右方向に開閉する開閉カバーと、一端で装置本体の左端又は右端に回動自在に取り付けられると共に他端で開閉カバーを回動自在に保持する中間回動体と、を具備し、閉時、開閉カバーは装置正面を形成すると共に中間回動体は装置側面を形成し、中間回動体は開閉カバーが開き切っていない場合に閉位置に戻るように付勢される一方、中間回動体は開閉カバーを開き切った場合に開閉カバーと一体となって回動するように付勢されているものである。
【００１６】
これによれば、開閉カバーを左右方向に開閉させる際、開閉カバーと装置本体との間に装置側面を形成する中間回動体を設け、この中間回動体は、開閉カバーが開き切っていない場合に閉位置に戻るように付勢され、開閉カバーを開き切った場合に開閉カバーと一体となって回動するように付勢されていることにより、開閉カバーが開き切らなければ中間回動体は開閉カバーと一体に回動しないので、例えば、ジャム処理などは中間回動体を回動させず開閉カバーのみ開いて作業を行い、作業終了後はすぐに開閉カバーのみを閉めればよい。また、サービスマンが記録部をメンテナンスする場合などは、現像装置などの各装置を引き出すために開閉カバーを大きく開ける必要があることから、中間回動体も一体となって回動させることで装置側面を含めて大きく開けることができるので開閉カバーの開閉角度を十分に確保して、メンテナンスを容易に行うことができる。
さらに、開閉カバーを閉める際に中間回動体が最後まで閉っていないと、開閉カバーのみを閉めても完全に開閉カバーが閉らないという中間回動体が回動する場合の特有の問題を、開閉カバーが開き切っていない場合は中間回動体を閉位置に戻るよう付勢し、開閉カバーを開き切った状態以外の閉める途中の状態では、中間回動体は常に閉状態となり、開閉カバーを閉めれば、開閉カバーは装置本体に対して常に完全に閉まるようにすることで解決し、その結果、開閉カバーを閉めても装置本体の閉位置と合わないという事態を防止できる。
【００１７】
【発明の実施の形態】
本発明の第１の態様に係る複写機は、装置正面に設けられ左右方向に開閉する開閉カバーと、一端で装置本体の左端又は右端に回動自在に取り付けられると共に他端で前記開閉カバーを回動自在に保持する中間回動体と、を具備し、閉時、前記開閉カバーは装置正面を形成すると共に前記中間回動体は装置側面を形成し、前記中間回動体は前記開閉カバーが開き切っていない場合に閉位置に戻るように付勢される一方、前記中間回動体は前記開閉カバーを開き切った場合に前記開閉カバーと一体となって回動するように付勢されている構成を採る。
【００１８】
この構成によれば、開閉カバーを左右方向に開閉させる際、開閉カバーと装置本体との間に装置側面を形成する中間回動体を設け、この中間回動体は、開閉カバーが開き切っていない場合に閉位置に戻るように付勢され、開閉カバーを開き切った場合に開閉カバーと一体となって回動するように付勢されていることにより、開閉カバーが開き切らなければ中間回動体は開閉カバーと一体に回動しないので、例えば、ジャム処理などは中間回動体を回動させず開閉カバーのみ開いて作業を行い、作業終了後はすぐに開閉カバーのみを閉めればよい。また、サービスマンが記録部をメンテナンスする場合などは、現像装置などの各装置を引き出すために開閉カバーを大きく開ける必要があることから、中間回動体も一体となって回動させることで装置側面を含めて大きく開けることができるので開閉カバーの開閉角度を十分に確保して、メンテナンスを容易に行うことができる。
さらに、開閉カバーを閉める際に中間回動体が最後まで閉っていないと、開閉カバーのみを閉めても完全に開閉カバーが閉らないという中間回動体が回動する場合の特有の問題を、開閉カバーが開き切っていない場合は中間回動体を閉位置に戻るよう付勢し、開閉カバーを開き切った状態以外の閉める途中の状態では、中間回動体は常に閉状態となり、開閉カバーを閉めれば、開閉カバーは装置本体に対して常に完全に閉まるようにすることで解決し、その結果、開閉カバーを閉めても装置本体の閉位置と合わないという事態を防止できる。
【００２０】
本発明の第２の態様は、第１の態様の複写機において、前記開閉カバーは前記中間回動体に対して約９０°回動する一方、前記中間回動体は装置本体に対して約９０°回動する構成を採る。
【００２１】
この構成によれば、開閉カバーは、中間回動体に対して約９０°回動する一方、中間回動体は装置本体に対して約９０°回動する。このため、中間回動体の最大回動角度と、開閉カバーの最大開閉角度とを合わせて開閉カバーを装置本体に対して最大約１８０°開けることができる。したがって、開閉カバーの開閉角度を十分に確保でき、装置の大型化を押えることができる。
【００２９】
本発明の第３の態様は、第１または第２の態様の複写機において、前記開閉カバーは前記中間回動体に対してＬ字板金で回動自在に設けられた構成を採る。
【００３０】
開閉カバーと中間回動体とを回動自在に連結する場合、開閉カバーに第１回動ヒンジを設けると共に中間回動体に第２回動ヒンジを設け、両回動ヒンジを板金によって連結することになる。この場合には、例えば、開閉カバーが適切に開かないという問題が生ずる。即ち、開閉カバーと中間回動体とが近接していると、中間回動体が開閉カバーの開閉を規制するので、開閉カバーが開かなくなる。
【００３１】
これに対して、開閉カバーと中間回動体との距離を離し、中間回動体が開閉カバーの開閉の妨げとならない位置関係とすることで解決できる。しかし、この場合、開閉カバーと中間回動体との間に隙間が生じるので、その分装置が大型化すると共に、装置の外部からその隙間を通じて内部が露出し、筐体としての役割を果さないという問題がある。
【００３２】
また、開閉カバーと板金とが接触して、また、中間回動体と板金とが接触して、開閉カバーの開閉を妨げることがないように、板金の経路として開閉カバー及び中間回動体の双方に切り込みを入れる必要がある。この場合には、装置としての美観が損なわれる。
【００３３】
また、上記のように、開閉カバーの開閉のために、開閉カバー側と中間回動体側のそれぞれに回動ヒンジが必要なため、その分部品点数が多くなるという問題がある。
【００３４】
本発明の第３の態様によれば、開閉カバーを中間回動体に対してＬ字板金で回動自在に設け、Ｌ字板金の一方の先端に回動ヒンジを取り付けたことにより、開閉カバーを開閉する際開閉カバーと中間回動体とを近接して配置しても、Ｌ字板金の辺の長さだけ回動ヒンジから離れて開閉する。このため、装置を大型化することなく、また、開閉カバーと中間回動体との間に大きな隙間を開けることなく、開閉カバーを中間回動体に対して大きく開閉自在とすることができる。
【００３５】
また、板金の経路としての切り込みは板金を取り付けていない他方の部材にのみ設ければよいので、装置の外観が損なわれる度合いを軽減できる。この場合、切り込みを設ける側を中間回動体とすれば、装置正面を構成する開閉カバーには切り込みが入らないので、正面から見た装置の印象が悪くなるのを防止できる。
【００３６】
さらに、Ｌ字板金の一方の先端に回動ヒンジを取り付けたことにより、開閉カバーを開閉するための回動ヒンジは１個で済ますことができる。したがって、その分部品点数を削減することができる。
【００３７】
本発明の第４の態様は、第１または第２の態様の複写機において、前記開閉カバーにＬ字板金を取り付け、前記Ｌ字板金の短辺で前記中間回動体に回動自在に連結されている構成を採る。
【００３８】
この構成によれば、開閉カバーにＬ字板金を取り付け、Ｌ字板金の短辺で中間回動体に回動自在に連結することにより、開閉カバーを最大限開けたとき、開閉カバーは中間回動体より外側に位置する。したがって、中間回動体のすぐ内側まで内部機構を配置できるので、無駄なスペースを十分に圧縮して装置の小型化を実現できる。
【００３９】
本発明の第５の態様は、第１〜第４の態様のいずれかの複写機において、前記開閉カバーを開けた際に装置本体内部の最も外側に位置するとともに装置本体の左端又は右端のうち中間回動体が回動自在に保持された側の端部に左右方向に回動自在に設けられたトナーボトルと、このトナーボトルより装置本体内部の後方に配置され装置外部に引き出し可能に設けられた記録部と、を具備し、前記開閉カバーを前記中間回動体と共に開くと、トナーボトルは９０°以上回動可能となる構成を採る。
【００４０】
この構成によれば、開閉カバーを中間回動体と共に開けるようにすることにより、開閉カバーと装置本体との間の開閉角度は開閉カバー単独で開く場合より大きくすることができる。このため、開閉カバーを開いた状態で、トナーボトルを回動させると、トナーボトルと装置本体との間の開閉角度を９０°以上とすることができ、その後方に配置された記録部をトナーボトルに妨げられることなく、装置外部に引き出すことが可能となり、メンテナンスを容易にすることができる。
【００４１】
本発明の第６の態様に係る複合機は、装置正面に設けられ左右方向に開閉する開閉カバーと、一端で装置本体の左端又は右端に回動自在に取り付けられると共に他端で前記開閉カバーを回動自在に保持する中間回動体と、を具備し、閉時、前記開閉カバーは装置正面を形成すると共に前記中間回動体は装置側面を形成し、前記中間回動体は前記開閉カバーが開き切っていない場合に閉位置に戻るように付勢される一方、前記中間回動体は前記開閉カバーを開き切った場合に前記開閉カバーと一体となって回動するように付勢されている構成を採る。
【００４２】
この構成によれば、開閉カバーを左右方向に開閉させる際、開閉カバーと装置本体との間に装置側面を形成する中間回動体を設け、この中間回動体は、開閉カバーが開き切っていない場合に閉位置に戻るように付勢され、開閉カバーを開き切った場合に開閉カバーと一体となって回動するように付勢されていることにより、開閉カバーが開き切らなければ中間回動体は開閉カバーと一体に回動しないので、例えば、ジャム処理などは中間回動体を回動させず開閉カバーのみ開いて作業を行い、作業終了後はすぐに開閉カバーのみを閉めればよい。また、サービスマンが記録部をメンテナンスする場合などは、現像装置などの各装置を引き出すために開閉カバーを大きく開ける必要があることから、中間回動体も一体となって回動させることで装置側面を含めて大きく開けることができるので開閉カバーの開閉角度を十分に確保して、メンテナンスを容易に行うことができる。
さらに、開閉カバーを閉める際に中間回動体が最後まで閉っていないと、開閉カバーのみを閉めても完全に開閉カバーが閉らないという中間回動体が回動する場合の特有の問題を、開閉カバーが開き切っていない場合は中間回動体を閉位置に戻るよう付勢し、開閉カバーを開き切った状態以外の閉める途中の状態では、中間回動体は常に閉状態となり、開閉カバーを閉めれば、開閉カバーは装置本体に対して常に完全に閉まるようにすることで解決し、その結果、開閉カバーを閉めても装置本体の閉位置と合わないという事態を防止できる。
【００４４】
本発明の第７の態様は、第６の態様の複合機において、前記開閉カバーは前記中間回動体に対して約９０°回動する一方、前記中間回動体は装置本体に対して約９０°回動する構成を採る。
【００４５】
この構成によれば、開閉カバーは、中間回動体に対して約９０°回動する一方、中間回動体は装置本体に対して約９０°回動する。このため、中間回動体の最大回動角度と、開閉カバーの最大開閉角度とを合わせて開閉カバーを装置本体に対して最大約１８０°開けることができる。したがって、開閉カバーの開閉角度を十分に確保でき、装置の大型化を押えることができる。
【００５３】
本発明の第８の態様は、第６または第７の態様の複合機において、前記開閉カバーは前記中間回動体に対してＬ字板金で回動自在に設けられた構成を採る。
【００５４】
開閉カバーと中間回動体とを回動自在に連結する場合、開閉カバーに第１回動ヒンジを設けると共に中間回動体に第２回動ヒンジを設け、両回動ヒンジを板金によって連結することになる。この場合には、例えば、開閉カバーが適切に開かないという問題が生ずる。即ち、開閉カバーと中間回動体とが近接していると、中間回動体が開閉カバーの開閉を規制するので、開閉カバーが開かなくなる。
【００５５】
これに対して、開閉カバーと中間回動体との距離を離し、中間回動体が開閉カバーの開閉の妨げとならない位置関係とすることで解決できる。しかし、この場合、開閉カバーと中間回動体との間に隙間が生じるので、その分装置が大型化すると共に、装置の外部からその隙間を通じて内部が露出し、筐体としての役割を果さないという問題がある。
【００５６】
また、開閉カバーと板金とが接触して、また、中間回動体と板金とが接触して、開閉カバーの開閉を妨げることがないように、板金の経路として開閉カバー及び中間回動体の双方に切り込みを入れる必要がある。この場合には、装置としての美観が損なわれる。
【００５７】
また、上記のように、開閉カバーの開閉のために、開閉カバー側と中間回動体側のそれぞれに回動ヒンジが必要なため、その分部品点数が多くなるという問題がある。
【００５８】
本発明の第８の態様によれば、開閉カバーを中間回動体に対してＬ字板金で回動自在に設け、Ｌ字板金の一方の先端に回動ヒンジを取り付けたことにより、開閉カバーを開閉する際開閉カバーと中間回動体とを近接して配置しても、Ｌ字板金の辺の長さだけ回動ヒンジから離れて開閉する。このため、装置を大型化することなく、また、開閉カバーと中間回動体との間に大きな隙間を開けることなく、開閉カバーを中間回動体に対して大きく開閉自在とすることができる。
【００５９】
また、板金の経路としての切り込みは板金を取り付けていない他方の部材にのみ設ければよいので、装置の外観が損なわれる度合いを軽減できる。この場合、切り込みを設ける側を中間回動体とすれば、装置正面を構成する開閉カバーには切り込みが入らないので、正面から見た装置の印象が悪くなるのを防止できる。
【００６０】
さらに、Ｌ字板金の一方の先端に回動ヒンジを取り付けたことにより、開閉カバーを開閉するための回動ヒンジは１個で済ますことができる。したがって、その分部品点数を削減することができる。
【００６１】
本発明の第９の態様は、第６または第７の態様の複合機において、前記開閉カバーにＬ字板金を取り付け、前記Ｌ字板金の短辺で前記中間回動体に回動自在に連結されている構成を採る。
【００６２】
この構成によれば、開閉カバーにＬ字板金を取り付け、Ｌ字板金の短辺で中間回動体に回動自在に連結することにより、開閉カバーを最大限開けたとき、開閉カバーは中間回動体より外側に位置する。したがって、中間回動体のすぐ内側まで内部機構を配置できるので、無駄なスペースを十分に圧縮して装置の小型化を実現できる。
【００６３】
本発明の第１０の態様は、第６〜第９の態様のいずれかの複合機において、前記開閉カバーを開けた際に装置本体内部の最も外側に位置するとともに装置本体の左端又は右端のうち中間回動体が回動自在に保持された側の端部に左右方向に回動自在に設けられたトナーボトルと、このトナーボトルより装置本体内部の後方に配置され装置外部に引き出し可能に設けられた記録部と、を具備し、前記開閉カバーを前記中間回動体と共に開くと、トナーボトルは９０°以上回動可能となる構成を採る。
【００６４】
この構成によれば、開閉カバーを中間回動体と共に開けるようにすることにより、開閉カバーと装置本体との間の開閉角度は開閉カバー単独で開く場合より大きくすることができる。このため、開閉カバーを開いた状態で、トナーボトルを回動させると、トナーボトルと装置本体との間の開閉角度を９０°以上とすることができ、その後方に配置された記録部をトナーボトルに妨げられることなく、装置外部に引き出すことが可能となり、メンテナンスを容易にすることができる。
【００６５】
以下、本発明の一実施の形態について、図面を参照して詳細に説明する。
【００６６】
図１は、本発明の一実施の形態に係る複写機１００の概略構成図である。
【００６７】
図１に示すように、本複写機１００は、上部に原稿の読み取りを行う読取ユニット１０１を備え、その下方に給紙、転写、記録、定着の処理を実行する本体ユニット１０２を備える。
【００６８】
本体ユニット１０２の底部に給紙カセット１０３が設置されている。給紙カセット１０３にセットされた用紙束から最上面の用紙がピックアップローラ１０４によって取り出される。
【００６９】
給紙カセット１０３から取り出された用紙は、給紙ローラ１０５によって本体ユニット１０２の底部から上方に向けて形成された紙パス１０６に送り込まれる。紙パス１０６には、複数の搬送ローラ１０７、１０８及び１０９が配置されている。
【００７０】
最も上方に配置された搬送ローラ１０９によって搬送された用紙は、搬送ローラ１１０によってレジストローラ１１１に渡される。レジストローラ１１１による用紙の搬送先には、図中矢印方向に回転する感光体ドラム１１２が配置されている。
【００７１】
感光体ドラム１１２の上方には、感光体ドラム１１２の表面に潜像画像を形成するＬＳＵ（Laser Scan Unit）１１３が配置されている。感光体ドラム１１２に形成された潜像画像に現像材（トナー）を付着させる現像装置１１４が感光体ドラム１１２に隣接して配置されている。現像装置１１４内部には現像材を攪拌・搬送する攪拌ローラと感光体ドラム１１２に現像材を付着させる現像ローラを備えている。
【００７２】
感光体ドラム１１２の下方には、感光体ドラム１１２に現像材が付着することで形成された画像を、搬送される用紙に転写する転写器１１５が設置されている。なお、感光体ドラム１１２上の画像と用紙の記録領域との位置調整はレジストローラ１１１によって制御される。
【００７３】
画像を転写し終わった感光体ドラム１１２の表面をクリーニングするクリーニングユニット１１６が感光体ドラム１１２に隣接して配置されている。画像が転写された用紙は搬送ベルト１１７によりさらに搬送される。搬送ベルト１１７の搬送先には定着ユニット１１８が配置されている。
【００７４】
定着ユニット１１８は、定着ローラ１１９と、定着ローラ１１９に対向配置された加圧ローラ１２０と、定着ローラ１１９に残留したトナーの剥離性を高めるためオイルを塗布するクリーニングローラ（不図示）とを備えている。定着ローラ１１９が用紙の記録面に熱を加え、加圧ローラ１２０が用紙を定着ローラ１１９との間で押圧することにより、用紙に画像が定着する。
【００７５】
定着ユニット１１８から排出された用紙は、排出ローラ１２１により本体ユニット１０２の外部に排出される。本体ユニット１０２から排出された用紙は、排紙トレイ１２２上に受け止められる。
【００７６】
定着ユニット１１８と排出ローラ１２１との間に、用紙を本体ユニット１０２の外部に排出するか、両面記録を行うための両面パス１２３に送り込むかを切り替える切替ガイド１２４が配置されている。両面パス１２３は、切替ガイド１２４の近傍から下方向に向かって形成され、その途中で略水平方向に向かって形成されている。
【００７７】
両面パス１２３に送り込まれた用紙は、反転ローラ１２５により両面パス１２３のうち、下方向に形成された部分１２３Ａの延長上に形成された反転パス１２６に一旦引き込まれる。反転パス１２６に用紙が引き込まれると、反転ローラ１２５が反転し、用紙を両面パス１２３のうち、略水平方向に形成された部分１２３Ｂに送り込む。この時点で用紙の表裏が反転する。
【００７８】
略水平方向に形成された両面パス１２３Ｂに送り込まれた用紙は、両面パス１２３Ｂ上に形成された搬送ローラ１２７、１２８及び１２９により搬送される。両面パス１２３Ｂは、搬送ローラ１１０の下方で紙パス１０６に連結されている。搬送ローラ１２７、１２８及び１２９により両面パス１２３Ｂを搬送し、紙パス１０６に送り込まれた用紙は、再度、感光体ドラム１１２の下方に送り込まれ、今度はその裏面に画像が形成される。
【００７９】
本体ユニット１０２の側面に給紙カセット１０３からの給紙以外の給紙を実現する手差しトレイ１３０が設けられている。手差しトレイ１３０に載置された用紙束の最上面の用紙がピックアップローラ１３１により取り込まれ、搬送ローラ１３２によりレジストローラ１１１に渡される。
【００８０】
このような構成を有する複写機１００においては、紙ジャム除去や記録部のメンテナンスを行うために装置内部を開放する開閉カバーが装置の前面に設けられている。
【００８１】
図２は、本実施の形態に係る複写機１００の簡略化した正面図及び側面図である。図２（ａ）は本実施の形態に係る複写機１００の正面図を示し、図２（ｂ）は本実施の形態に係る複写機１００の側面図を示す。なお、図２においては、開閉カバーを閉めた場合について示し、手差しトレイ１３０については省略している。
【００８２】
図２（ａ）に示すように、開閉カバー２００は、本複写機１００の装置正面であって、本体ユニット１０２の上方領域に設けられている。閉められている場合、開閉カバー２００は、本複写機１００の装置正面の一部を形成する。
【００８３】
開閉カバー２００は、一方の端部において、中間回動体２０１を介して本複写機１００に取り付けられている。なお、本実施の形態では、開閉カバー２００の右端部において中間回動体２０１に取り付けられている。中間回動体２０１は、図２（ｂ）に示すように、本複写機１００の側面から見える位置に配置され、本複写機１００の側面の一部を形成する。
【００８４】
開閉カバー２００は、中間回動体２０１周辺を支点として他方の端部を本複写機１００の前方に開く。開閉カバー２００が開く場合に開閉カバー２００を連結している板金が中間回動体２０１に接触し、開閉カバー２００の開閉を妨げることがないように、中間回動体２０１の一定位置に切り込み２０２が形成されている。
【００８５】
図３は、本実施の形態の複写機１００の外観を示す斜視図である。図３においては、開閉カバー２００が最大限に開いた状態について示している。
【００８６】
開閉カバー２００は、同図に示すように、右端部で中間回動体２０１を介して本複写機１００に取り付けられ、左端部を装置の前方に回動させることで装置内部を開放する。
【００８７】
開閉カバー２００を開くことで、本複写機１００では、後述するトナーボトルが露出する。このトナーボトルの後方に、記録部を構成する感光体ドラム１１２、ＬＳＵ１１３、現像装置１１４、転写器１１５及びクリーニングユニット１１６が収納されている。
【００８８】
中間回動体２０１は、図３に示すように、一定の場合に開閉カバー２００と一体となって回動するようになっている。具体的には、開閉カバー２００が開き切った場合に開閉カバー２００と一体となって回動し、図３に示すように、本複写機１００の側面に対して約９０°の位置まで開くようになっている。
【００８９】
図４は、本複写機１００の中間回動体２０１の拡大図である。図４においては、図３に示した状態の中間回動体２０１を示している。すなわち、本複写機１００の側面に対して約９０°の位置まで開いた状態を示している。なお、図４においては、開閉カバー２００が固定される板金のみ表示し、開閉カバー２００については省略している。
【００９０】
中間回動体２０１は、図４に示す左端部に設けられた第１回動ヒンジ４０１で、本複写機１００に取り付けられている。中間回動体２０１が開いていない状態において、第１回動ヒンジ４０１は、中間回動体２０１よりも本複写機１００の内側に配置されている。
【００９１】
本複写機１００に固定された固定部材４０２と、中間回動体２０１の水平方向に形成された回動部材４０３とを回動軸４０４で連結することで、第１回動ヒンジ４０１が構成される。第１回動ヒンジ４０１は、中間回動体２０１を、本複写機１００の側面に対して約９０°まで回動可能に保持する。
【００９２】
一方、中間回動体２０１は、図４に示す右端部に設けられた第２回動ヒンジ４０５で、開閉カバー２００に固定されたＬ字板金４０６に取り付けられている。
【００９３】
開閉カバー２００に固定されたＬ字板金４０６の短辺４０６Ａの端部と、回動部材４０３とを回動軸４０７で連結することで、第２回動ヒンジ４０５が構成される。第２回動ヒンジ４０５は、開閉カバー２００を中間回動体２０１に対して約９０°まで回動可能に保持する。
【００９４】
なお、開閉カバー２００は、Ｌ字板金４０６の長辺４０６Ｂで構成される平面に右端部を重ねるように固定される。このため、長辺４０６Ｂと開閉カバー２００とは、常に同一方向を向いた状態となっている。
【００９５】
第２回動ヒンジ４０５にばね４０８が取り付けられている。ばね４０８は、開閉カバー２００が開き切った状態でない場合には、中間回動体２０１を、回動しないように付勢している。つまり、開閉カバー２００が中間回動体２０１に対して９０°以上開いていない場合には、ばね４０８は、中間回動体２０１が開かないように付勢している。
【００９６】
一方、ばね４０８は、開閉カバー２００が開き切った状態の場合には、中間回動体２０１を、開閉カバー２００と一体となって回動すように付勢している。つまり、開閉カバー２００が中間回動体２０１に対して９０°以上開いた場合には、ばね４０８は、中間回動体２０１を開閉カバー２００と一体となって開くように付勢している。
【００９７】
これにより、開閉カバー２００が開き切っていない状態、例えば、閉める途中の状態では中間回動体２０１は常に開いていない状態とされる。このため、開閉カバー２００を閉める場合において、中間回動体２０１は必ず開いていない状態となっている。したがって、本複写機１００の開閉機構との関係で位置が合わず、開閉カバー２００を閉めることができないという事態を防止できる。
【００９８】
なお、開閉カバー２００の状態に応じて中間回動体２０１の開閉状態を規制することで、以下のような効果を得ることができる。
【００９９】
一般ユーザが紙ジャム処理等のために開閉カバー２００を開く場合には、開閉カバー２００を９０°程度開ければ十分に対応でき、中間回動体２０１まで回動させて開閉カバー２００を不必要に遠く行かせる必要はない。
【０１００】
本複写機１００によれば、開閉カバー２００を９０°以上開かなければ、中間回転体２０１は開かないように中間回動体２０１を付勢している。このため、開閉カバー２００を９０°程度開けて紙ジャム処理等が終了した場合には、開閉カバー２００はユーザの近くに存在する。このため、紙ジャム処理等が終了した場合に開閉カバー２００の先端を掴むために別途立ち上がる必要はなく、作業した体勢のままで、すぐに開閉カバー２００を閉めることができる。
【０１０１】
一方、サービスマンが記録部をメンテナンスする場合は、現像装置１１４などの各装置を引き出す必要から開閉カバー２００を９０°以上開ける必要がある。本複写機１００によれば、開閉カバー２００を９０°以上開けた場合には、中間回動体２０１も一体となって回動し、開閉カバー２００を大きく開けることができる。このため、開閉カバー２００の開閉角度を十分に確保して、メンテナンスを容易に行うことができる。
【０１０２】
以下、本実施の形態に係る複写機１００における開閉カバー２００の開閉動作について説明する。図５及び図６は、本実施の形態に係る複写機１００を上面から見た模式図である。
【０１０３】
図５（ａ）は、開閉カバー２００が閉められている状態を示している。この状態では、開閉カバー２００は開き切った状態でないことは言うまでもない。したがって、開閉カバー２００を開いても、中間回動体２０１は開くことはない。
【０１０４】
図５（ａ）に示す状態から開閉カバー２００を開いた場合には、図５（ｂ）に示すように、中間回動体２０１がばね４０８により開かないように付勢されているため、第２回動ヒンジ４０５を支点として開閉カバー２００の左端部（図５（ｂ）に示す上端部）が装置前方に移動する。
【０１０５】
図５（ｂ）に示す状態からさらに開閉カバー２００を開き、図６（ａ）に示すように、開閉カバー２００を中間回動体２０１に対して約９０°まで回動する。ここで、開閉カバー２００は、開き切った状態となる。このとき、ばね４０８は、中間回動体２０１を、開閉カバー２００と一緒に回動するように付勢している。
【０１０６】
したがって、図６（ａ）に示す状態からさらに開閉カバー２００を開くと、図６（ｂ）に示すように、中間回動体２０１が本複写機１００の側面から開く。中間回動体２０１は、第１回動ヒンジ４０１を支点として回動する。なお、図６（ｂ）においては、中間回動体２０１が本複写機１００の側面に対して最大限、すなわち、約９０°まで回動した状態を示している。
【０１０７】
このように本実施の形態の複写機１００によれば、開閉カバー２００を左右方向に開閉させる際、開閉可能な中間回動体２０１を介して開閉カバー２００を取り付けている。これにより、開閉カバー２００の開閉角度に中間回動体２０１の回動角度を合わせた全角度だけ開閉カバー２００を本体ユニット１０２から開くことができる。このため、開閉カバー２００の開閉角度を十分に確保して、メンテナンスを容易に行うことができる。
【０１０８】
また、本実施の形態では、本複写機１００の外周領域内部に取り付けた第１回動ヒンジ４０１で中間回動体２０１を回動自在に保持している。これにより、回動ヒンジを本複写機１００の外周領域外部に取り付ける場合に比較して回動ヒンジが装置外部に突き出ない分、装置の大型化を押えることができる。
【０１０９】
なお、本実施の形態では、回動可能な中間回動体２０１を介して開閉カバー２００を取り付けている。このため、第１回動ヒンジ４０１を本体ユニット１０２の外周領域内部に取り付けた場合であっても、開閉カバー２００単独で開く開閉角度以上に開閉カバー２００を本体ユニット１０２から開けることができる。この結果、開閉カバー２００の開閉角度を十分に確保できる。
【０１１０】
さらに、本実施の形態では、開閉カバー２００は中間回動体２０１に対して約９０°まで回動可能に保持されている。また、中間回動体２０１は本複写機１００に対して約９０°まで回動可能に保持されている。このため、中間回動体２０１を本複写機１００の外周領域内部に取り付けた場合の最大回動角度と、開閉カバー２００を中間回動体２０１の外周領域内部に取り付けた場合の最大開閉角度とを合わせて開閉カバー２００を本複写機１００に対して最大約１８０°開けることができる。これにより、第１回動ヒンジ４０１及び第２回動ヒンジ４０５の各ヒンジを外周領域外部に設けることなく、開閉カバー２００の開閉角度を十分に確保でき、装置の大型化を押えることができる。
【０１１１】
さらに、本実施の形態では、閉められている場合、開閉カバー２００が本複写機１００の正面の一部を形成する一方、中間回動体２０１が本複写機１００の側面の一部を形成する。このため、開閉カバー２００を開けて開閉カバー２００の表面が本複写機１００のフレームに当接しても、その当接した領域が開閉カバー２００と連動して開くようにしている。したがって、開閉カバー２００の回動ヒンジを本複写機１００の外周領域内部に設けた場合であっても、開閉カバー２００の開閉角度を規制するものがなくなり、開閉角度を大幅に広げることが可能となる。
【０１１２】
なお、本実施の形態の複写機１００において記録部を構成する現像装置１１４等のメンテナンスを行う場合には、開閉カバー２００を開け、トナーボトルを引き出した後に行う。以下、このようにメンテナンスを行う場合における本複写機１００の動きについて説明する。
【０１１３】
図７及び図８は、本実施の形態に係る複写機１００を上面から見た模式図である。
【０１１４】
上述のように、トナーボトル７０１は、開閉カバー２００を開くと露出される位置に配置されている。このトナーボトル７０１の後方に記録部７０２が収納されている。記録部７０２は、現像装置１１４等で構成される。図７では、本複写機１００の中央近傍に記録部７０２が配置された場合について示している。
【０１１５】
トナーボトル７０１は、図７に示す下端部に設けられた回動軸７０３を支点として、その上端部が図７に示す左方に回動する。これにより、本複写機１００の内部から引き出される。
【０１１６】
記録部７０２のメンテナンスを行う場合には、サービスマンは、まず、開閉カバー２００を図７（ａ）に示す状態から図７（ｂ）に示すように、約９０°開く。ここまで開くことで、上述のように中間回動体２０１は、開閉カバー２００と一体となって回動する。
【０１１７】
したがって、図７（ｂ）に示す状態からさらに開閉カバー２００を開くと、図８（ａ）に示すように、中間回動体２０１が開閉カバー２００と一緒に回動する。サービスマンは、中間回動体２０１を本複写機１００の側面に対して約９０°まで開いた後、図８（ｂ）に示すように、トナーボトル７０１を装置の前方に回動させる。
【０１１８】
このとき、中間回動体２０１は、開閉カバー２００と一緒に開いた状態であり、トナーボトル７０１の回動領域から退避している。このため、サービスマンは、図８（ｂ）に示すように、トナーボトル７０１を本複写機１００から９０°以上回動させることができる。これにより、トナーボトル７０１が本複写機１００のフレームに当接し、十分に引き出すことができないという事態は生じない。また、トナーボトル７０１を９０°以上回動させた場合には、トナーボトル７０１が記録部のメンテナンスの際に障害となることはない。
【０１１９】
このように開閉カバー２００を中間回動体２０１と共に開けるようにすることにより、開閉カバー２００と本複写機１００との間の開閉角度は開閉カバー２００単独で開く場合より大きくすることができる。したがって、この状態で、トナーボトル７０１を回動させると、トナーボトル７０１と本複写機１００との間の開閉角度を９０°以上とすることができる。この結果、その後方に配置された記録部７０２をトナーボトル７０１に妨げられることなく、装置外部に引き出すことが可能となり、メンテナンスを容易にすることができる。
【０１２０】
ところで、本実施の形態の複写機１００では、Ｌ字板金４０６を用いて開閉カバー２００と中間回動体２０１とを回動自在に連結している。しかし、開閉カバー２００と中間回動体２０１とを回動自在に連結する場合には、他の形態を採用することも考えられる。以下、Ｌ字板金４０６を用いない場合の形態について説明する。
【０１２１】
図９は、Ｌ字板金４０６を用いない場合の複写機９００の構成の一例を示す図である。図９（ａ）はＬ字板金４０６を用いない場合の複写機９００を上面から見た模式図を示し、図９（ｂ）はＬ字板金４０６を用いない場合の複写機９００の側面図を示している。
【０１２２】
複写機９００では、図９（ａ）に示すように、開閉カバー９０１の一端に設けられた回動ヒンジと中間回動体９０２の一端に設けられた回動ヒンジとを板金９０３で連結している。また、中間回動体９０２の他端に設けられた回動ヒンジと複写機９００のフレームの端部に設けられた回動ヒンジとを板金９０４で連結している。
【０１２３】
また、図９（ｂ）に示すように、開閉カバー２００の後方側及び中間回動体９０２の前方側には、板金９０３が回動時に接触して開閉カバー２００の開閉を妨げることがないように切り込み９０５が形成されている。一方、中間回動体９０２の後方側には、板金９０３が回動時に接触しないように切り込み９０６が形成されている。
【０１２４】
このような形態を採用する場合、開閉カバー９０１と中間回動体９０２との間、並びに、中間回動体９０２と複写機９００のフレームとの間に、それぞれ開閉カバー９０１及び中間回動体９０２が回動可能なスペースを設けることが必要となる。
【０１２５】
図９では、これらのスペースを十分に設けていない場合について示している。この場合には、開閉カバー９０１と中間回動体９０２とが、また、中間回動体９０２と複写機９００のフレームとが当接することで、開閉カバー９０１及び中間回動体９０２が回動することができないという問題が生じ得る。
【０１２６】
これに対して、図１０においては、開閉カバー９０１と中間回動体９０２との間、並びに、中間回動体９０２と複写機９００のフレームとの間に、それぞれ開閉カバー９０１及び中間回動体９０２が回動可能なスペースを設けた場合について示している。なお、図１０は、開閉カバー９０１及び中間回動体９０２が回動可能なスペースを有している点を除いて図９に示す複写機９００と同一である。
【０１２７】
図１０に示す複写機９００では、開閉カバー９０１及び中間回動体９０２が回動可能なスペースが設けられている。このため、開閉カバー９０１及び中間回動体９０２は、それぞれ中間回動体９０２及び複写機９００のフレームと接触することはない。
【０１２８】
したがって、開閉カバー９０１を開けた場合には、図１１（ａ）、（ｂ）に示すように、開閉カバー９０１は、端部に設けられた回動ヒンジを支点として回動する。また、中間回動体９０２は、複写機９００側に設けられた回動ヒンジを支点として回動する。
【０１２９】
しかし、この場合には、開閉カバー９０１及び中間回動体９０２が回動可能なスペースが設けられているため、図１０（ｂ）に示すように、複写機９００の側面において、開閉カバー９０１と中間回動体９０２との間、並びに、中間回動体９０２と複写機９００のフレームとの間に隙間ができる。このため、その分複写機９００自体が大型化すると共に、複写機９００の外部からその隙間を通じて内部が露出してしまい、筐体としての役割を果さないという問題が生じる。
【０１３０】
また、このような構成を有する複写機９００では、図１０（ｂ）に示すように、開閉カバー９０１及び中間回動体９０２の双方に切り込み９０５を入れる必要がある。このように切り込み９０５を入れた場合には、複写機９００の装置としての美観が損なわれるという問題も生じる。
【０１３１】
さらに、開閉カバー９０１の開閉のために、開閉カバー９０１側と中間回動体９０２側のそれぞれに回動ヒンジを設ける必要があるため、その分部品点数が多くなるという問題も生じる。
【０１３２】
本実施の形態の複写機１００によれば、開閉カバー２００を中間回動体２０１に対してＬ字板金４０６で回動自在に保持し、Ｌ字板金４０６の一方の先端に回動ヒンジ４０５を取り付けている。これにより、開閉カバー２００を開閉する際、開閉カバー２００と中間回動体２０１とを近接して配置しても、開閉カバー２００がＬ字板金４０６の辺の長さだけ回動ヒンジ４０５から離れて開閉する。このため、複写機１００を大型化することなく、開閉自在とすることができる。
【０１３３】
また、開閉カバー２００と中間回動体２０１との間に大きな隙間を開けることなく、開閉カバー２００を中間回動体２０１に対して大きく開閉自在とすることができる。
【０１３４】
また、Ｌ字板金４０６の経路としての切り込み２０２は、図２（ｂ）に示すように、Ｌ字板金４０６を取り付けていない他方の部材にのみ形成すればよい。このため、図９及び図１０に示した複写機９００と比較して、装置としての外観が損なわれる度合いを軽減できる。
【０１３５】
なお、本実施の形態では、切り込み２０２を形成する部材を中間回動体２０１としている。このため、本複写機１００の正面を構成する開閉カバー２００には切り込みが入らないので、正面から見た装置の印象が悪くなるのを防止することができる。
【０１３６】
また、Ｌ字板金４０６の一方の先端に第２回動ヒンジ４０５を取り付けたことにより、開閉カバー２００を開閉するための回動ヒンジは１個となり、図９及び図１０に示すように、開閉カバー９０１側にも回動ヒンジを設ける必要がなくなるので、その分部品点数を削減することができる。このため、本複写機１００では、Ｌ字板金４０６を用いて開閉カバー２００と中間回動体２０１とを回動自在に連結している。
【０１３７】
一方、本実施の形態の複写機１００では、Ｌ字板金４０６の長辺４０６Ｂに開閉カバー２００を固定する一方、Ｌ字板金４０６の短辺４０６Ａで中間回動体２０１に連結している。しかし、Ｌ字板金で開閉カバー２００と中間回動体２０１とを連結する場合には、Ｌ字板金の長辺に中間回動体２０１を固定する一方、Ｌ字板金の短辺で開閉カバー２００に連結することも考えられる。
【０１３８】
図１２は、Ｌ字板金の長辺に中間回動体２０１を固定する一方、短辺で開閉カバー２００に連結した場合の複写機１２００の構成を示す図である。図１２（ａ）はＬ字板金の長辺に中間回動体２０１を固定する一方、短辺で開閉カバー２００に連結した場合の複写機１２００の正面図を示し、図１２（ｂ）はＬ字板金の長辺に中間回動体２０１を固定する一方、短辺で開閉カバー２００に連結した場合の複写機１２００の側面図を示している。
【０１３９】
このように開閉カバー２００と中間回動体２０１とを連結した場合には、図１２（ａ）に示すように、複写機１２００の正面にＬ字板金４０６短辺が露出する。また、開閉カバー２００におけるＬ字板金４０６との連結部には、Ｌ字板金４０６との接触を回避するための切り込みが形成されている。また、図１２（ｂ）に示すように、中間回動体２０１が本複写機１２００の側面であって、装置の最も前面側に配置されることとなる。
【０１４０】
このような複写機１２００における開閉カバー２００の開閉動作について説明する。図１３及び図１４は、複写機１２００を上面から見た模式図である。なお、複写機１２００においても、本実施の形態と同様のばね４０８がＬ字板金４０６の短辺に設けられた回動ヒンジに取り付けられているものとする。
【０１４１】
図１３（ａ）は、開閉カバー２００が閉められている状態を示している。この状態から開閉カバー２００を開くと、図１３（ｂ）に示すように、開閉カバー２００は、Ｌ字板金４０６の短辺の端部に設けられた回動ヒンジを支点として装置前方に回動する。なお、この状態では、開閉カバー２００は開き切った状態ではないため、中間回動体２０１は開くことはない。
【０１４２】
図１３（ｂ）に示す状態からさらに開閉カバー２００を開き、図１４（ａ）に示すように、開閉カバー２００を中間回動体２０１に対して約９０°まで回動する。ここで、開閉カバー２００は、開き切った状態となる。このとき、ばね４０８は、中間回動体２０１を、開閉カバー２００と一緒に回動するように付勢している。
【０１４３】
したがって、図１３（ａ）に示す状態からさらに開閉カバー２００を開くと、図１３（ｂ）に示すように、中間回動体２０１が複写機１２００の側面から開く。中間回動体２０１は、複写機１２００のフレーム側に設けられた回動ヒンジを支点として回動する。
【０１４４】
ここで、図１４（ａ）に示すように、開閉カバー２００を最大限開けた場合であっても、開閉カバー２００は中間回動体２０１より複写機１２００の内側に位置している。このため、中間回動体２０１のすぐ内側まで内部機構を配置した場合には、中間回動体２０１に内部機構が接触してしまい、装置外部に引き出すことができないという事態が生じ得る。
【０１４５】
これに対して、本実施の形態の複写機１００によれば、図６（ａ）に示すように、開閉カバー２００を最大限開けた場合には、開閉カバー２００は、中間回動体２０１より複写機１２００の外側に位置している。このため、中間回動体２０１のすぐ内側まで内部機構を配置することができる。この結果、無駄なスペースを十分に圧縮して装置の小型化を実現することができる。このため、本複写機１００では、Ｌ字板金４０６の長辺４０６Ｂに開閉カバー２００を固定する一方、Ｌ字板金４０６の短辺４０６Ａで中間回動体２０１に連結している。
【０１４６】
本実施の形態では、中間回動体２０１を備えた複写機１００について説明しているが、これに限定されず、装置内部のメンテナンス等を行う開閉カバー２００を有する装置であれば、どのような装置にも適用することができる。例えば、プリンタ機能、コピー機能及びファックス機能のいずれか２つ以上の機能を有する、複合機などに適用することができる。
【０１４７】
【発明の効果】
以上説明したように本発明によれば、開閉カバーが開き切らなければ中間回動体は開閉カバーと一体に回動しないので、例えば、ジャム処理などは中間回動体を回動させず開閉カバーのみ開いて作業を行い、作業終了後はすぐに開閉カバーのみを閉めればよい。また、サービスマンが記録部をメンテナンスする場合などは、現像装置などの各装置を引き出すために開閉カバーを大きく開ける必要があることから、中間回動体も一体となって回動させることで装置側面を含めて大きく開けることができるので開閉カバーの開閉角度を十分に確保でき、メンテナンスを容易に行うことができる。
さらに、開閉カバーを閉める際に中間回動体が最後まで閉っていないと、開閉カバーのみを閉めても完全に開閉カバーが閉らないという中間回動体が回動する場合の特有の問題を、開閉カバーを開き切った状態以外の閉める途中の状態では、中間回動体は常に閉状態となり、開閉カバーを閉めれば、開閉カバーは装置本体に対して常に完全に閉まるようにすることで解決し、その結果、開閉カバーを閉めても装置本体の閉位置と合わないという事態を防止できる。
【図面の簡単な説明】
【図１】本発明の一実施の形態に係る複写機の概略構成図
【図２】（ａ）上記実施の形態に係る複写機の簡略化した正面図
（ｂ）上記実施の形態に係る複写機の簡略化した側面図
【図３】上記本実施の形態の複写機の外観を示す斜視図
【図４】上記実施の形態に係る複写機の中間回動体の拡大図
【図５】（ａ）上記実施の形態に係る複写機を上面から見た模式図
（ｂ）上記実施の形態に係る複写機を上面から見た模式図
【図６】（ａ）上記実施の形態に係る複写機を上面から見た模式図
（ｂ）上記実施の形態に係る複写機を上面から見た模式図
【図７】（ａ）上記実施の形態に係る複写機を上面から見た模式図
（ｂ）上記実施の形態に係る複写機を上面から見た模式図
【図８】（ａ）上記実施の形態に係る複写機を上面から見た模式図
（ｂ）上記実施の形態に係る複写機を上面から見た模式図
【図９】（ａ）Ｌ字板金を用いない場合の複写機を上面から見た模式図
（ｂ）Ｌ字板金を用いない場合の複写機の側面図
【図１０】（ａ）Ｌ字板金を用いない場合の複写機を上面から見た模式図
（ｂ）Ｌ字板金を用いない場合の複写機の側面図
【図１１】（ａ）Ｌ字板金を用いない場合の複写機を上面から見た模式図
（ｂ）Ｌ字板金を用いない場合の複写機を上面から見た模式図
【図１２】（ａ）Ｌ字板金を異なる形態で用いた複写機の正面図
（ｂ）Ｌ字板金を異なる形態で用いた複写機の側面図
【図１３】（ａ）Ｌ字板金を異なる形態で用いた複写機を上面から見た模式図
（ｂ）Ｌ字板金を異なる形態で用いた複写機を上面から見た模式図
【図１４】（ａ）Ｌ字板金を異なる形態で用いた複写機を上面から見た模式図
（ｂ）Ｌ字板金を異なる形態で用いた複写機を上面から見た模式図
【図１５】従来の複写機の外観の一例を示す斜視図
【図１６】従来の複写機の外観の一例を示す斜視図
【図１７】従来の複写機を上面から見た模式図
【図１８】従来の複写機を上面から見た模式図
【図１９】従来の複写機を上面から見た模式図
【符号の説明】
１００  複写機
１１２  感光体ドラム
１１３  ＬＳＵ
１１４  現像装置
２００  開閉カバー
２０１  中間回動体
２０２  切り込み
４０１  第１回動ヒンジ
４０５  第２回動ヒンジ
４０６  Ｌ字板金
４０８  ばね
７０１  トナーボトル
７０２  記録部
【図１】
0004077218.tif 000002
【図２】
0004077218.tif 000003
【図３】
0004077218.tif 000004
【図４】
0004077218.tif 000005
【図５】
0004077218.tif 000006
【図６】
0004077218.tif 000007
【図７】
0004077218.tif 000008
【図８】
0004077218.tif 000009
【図９】
0004077218.tif 000010
【図１０】
0004077218.tif 000011
【図１１】
0004077218.tif 000012
【図１２】
0004077218.tif 000013
【図１３】
0004077218.tif 000014
【図１４】
0004077218.tif 000015
【図１５】
0004077218.tif 000016
【図１６】
0004077218.tif 000017
【図１７】
0004077218.tif 000018
【図１８】
0004077218.tif 000019
【図１９】
0004077218.tif 000020